(57)【要約】【解決手段】航空機天井モジュールは、照明、バレンスおよび配線が統合された天井パネルを備える。ＬＥＤ照明ユニットが天井パネルに直接取り付けられ、一つ以上のバレンスパネルが天井パネルに接続されてＬＥＤ照明ユニットを遮蔽する。バレンスパネルは天井パネルと一体であり、天井モジュールの全体構造に構造的剛性を与える。ＬＥＤ照明ユニットに接続された配線が天井パネル内に統合される。【選択図】図１
2013525181.tif 000002
【特許請求の範囲】
【請求項１】
天井パネルと、
前記天井パネルに直接取り付けられた少なくとも一つのＬＥＤ照明ユニットと、
前記天井パネルに接続され、前記少なくとも一つのＬＥＤ照明ユニットと間隔を空けて配置され、前記少なくとも一つのＬＥＤ照明ユニットを遮蔽する少なくとも一つのバレンスパネルと、
を備える航空機用天井モジュール。
【請求項２】
前記少なくとも一つのバレンスパネルが前記天井パネルと一体であることを特徴とする請求項１に記載の天井モジュール。
【請求項３】
前記少なくとも一つのバレンスパネルが前記天井パネルに直接取り付けられることを特徴とする請求項１に記載の天井モジュール。
【請求項４】
前記少なくとも一つのＬＥＤ照明ユニットに接続された電気配線をさらに備え、
前記電気配線が前記天井パネル内に統合されることを特徴とする請求項１に記載の天井モジュール。
【請求項５】
前記電気配線に電気的に接続され、電気接続されて航空機から供給される電力を受け取るように構成された少なくとも一つの電気コネクタをさらに備える請求項４に記載の天井モジュール。
【請求項６】
前記少なくとも一つの電気コネクタが前記天井パネル内に統合されることを特徴とする請求項５に記載の天井モジュール。
【請求項７】
前記少なくとも一つのバレンスパネルが前記天井モジュールの全体構造に構造的剛性を与えることを特徴とする請求項２に記載の天井モジュール。
【請求項８】
天井パネルと、
前記天井パネル内に統合された電気配線と、
前記電気配線に電気的に接続され、電気接続されて航空機から供給される電力を受け取るように構成された少なくとも一つの電気コネクタと、
前記天井パネルに直接取り付けられ、前記電気配線に電気的に接続された少なくとも一つのＬＥＤ照明ユニットと、
前記天井パネルに接続され、前記少なくとも一つのＬＥＤ照明ユニットと間隔を空けて配置され、前記少なくとも一つのＬＥＤ照明ユニットを遮蔽する少なくとも一つのバレンスパネルと、
を備える航空機用天井モジュール。
【請求項９】
前記少なくとも一つのバレンスパネルが前記天井パネルと一体であることを特徴とする請求項８に記載の天井モジュール。
【請求項１０】
前記少なくとも一つのバレンスパネルが前記天井パネルに直接取り付けられることを特徴とする請求項８に記載の天井モジュール。
【請求項１１】
前記少なくとも一つの電気コネクタが前記天井パネル内に統合されることを特徴とする請求項８に記載の天井モジュール。
【請求項１２】
前記少なくとも一つのバレンスパネルが、前記天井モジュールの全体構造に構造的剛性を与えることを特徴とする請求項８に記載の天井モジュール。
【請求項１３】
天井パネルと、
前記天井パネルに直接取り付けられた少なくとも一つのＬＥＤ照明ユニットと、
前記天井パネルに接続され、前記少なくとも一つのＬＥＤ照明ユニットと間隔を空けて配置され、前記少なくとも一つのＬＥＤ照明ユニットを遮蔽する少なくとも一つのバレンスパネルと、を備え、
前記少なくとも一つのバレンスパネルが前記天井パネルと一体であることを特徴とする、航空機用天井モジュール。
【請求項１４】
前記少なくとも一つのＬＥＤ照明ユニットに接続された電気配線をさらに備え、
前記電気配線が前記天井パネル内に統合されることを特徴とする請求項１３に記載の天井モジュール。
【請求項１５】
前記電気配線に電気的に接続され、電気接続されて航空機から供給される電力を受け取るように構成された少なくとも一つの電気コネクタをさらに備える請求項１４に記載の天井モジュール。
【請求項１６】
前記少なくとも一つの電気コネクタが前記天井パネル内に統合されることを特徴とする請求項１５に記載の天井モジュール。
【請求項１７】
前記少なくとも一つのバレンスパネルが前記天井モジュールの全体構造に構造的剛性を与えることを特徴とする請求項１３に記載の天井モジュール。
【発明の詳細な説明】
【技術分野】
【０００１】
（関連出願の相互参照）
この出願は、２０１０年４月２０日に出願された米国仮特許出願第６１／３２６，１６２号の優先権に基づきこれを主張する。その全体が参照により本明細書に援用される。
【０００２】
本発明は、一般に航空機用の室内照明に関し、より詳細には、照明、バレンス（valence）および配線が統合された航空機天井モジュールに関する。
【背景技術】
【０００３】
航空機の天井パネルは、伝統的に、隣接部品とは独立した単一目的の部品として設計されてきた。光源が直接見える範囲を制限するために、照明部品の上に別個の追加装飾レンズを設ける必要がある。
【発明の概要】
【発明が解決しようとする課題】
【０００４】
照明、バレンスおよび配線が統合された航空機天井モジュールを提供し、単一ユニットへの統合によって照明、バレンスおよび天井パネルの適切な位置合わせを保証することが望ましい。また、照明部品上への別個の追加装飾レンズの必要性を排除すべく、天井パネル内に組み込まれる照明バレンスを有する天井パネルを提供することが望ましい。また、追加ブラケットの必要性とそれにより生じる潜在的な摩擦（chafing）を排除すべく、積層材（lay-up）または天井パネル構造内に必要な配線を埋め込むことが望ましい。本発明は、これらの要件および他の要件を満たす。
【課題を解決するための手段】
【０００５】
簡潔にかつ一般的に述べると、本発明は、照明、バレンスおよび配線が統合された航空機天井モジュールを提供する。本発明の利点は、単一ユニットへの統合によって、照明、バレンスおよび天井パネルの適切な位置合わせが保証されることである。長く幅の広い天井パネルに照明が一体的に固定されており、その結果、隣接部品の据え付け位置にわずかなずれがあっても、隣接表面に対する照明とバレンスの位置合わせの角度変化が非常に小さくて済むので、本発明により、隣接する表面への照明の適切な位置合わせが提供される。
【０００６】
本発明は、従来技術では複数の別個の部品であるものを単一のモジュラーユニットとすることで迅速な取り付けを実現する。加えて、天井パネル内に照明バレンスを含めることで、照明部品の上に別個の追加装飾レンズを設ける必要がなくなる。本発明は、積層材または天井パネル構造内に必要な配線を埋め込み、ブラケットと潜在的な摩擦とを排除する。本発明による天井パネルへの照明の事前取り付けによって、照明を前もって位置合わせすることによる内装の迅速な取り付けが可能になり、事前に配線を組み込むことで航空機とのインタフェースが簡素化され、航空機への迅速な取り付けが可能になる。
【０００７】
したがって、本発明は、照明、バレンスおよび配線が統合された航空機天井モジュールを提供する。天井モジュールは、天井パネルと、天井パネルに直接取り付けられた一つ以上のＬＥＤ照明ユニットと、天井パネルに接続され、一つ以上のＬＥＤ照明ユニットと間隔を空けて配置され、一つ以上のＬＥＤ照明ユニットを遮蔽して一つ以上のＬＥＤ照明ユニットが直接見える範囲を制限する一つ以上のバレンスパネルと、を備える。好適な態様の一つでは、一つ以上のバレンスパネルは天井パネルと一体である。別の好適な態様では、一つ以上のバレンスパネルを天井パネルに直接取り付けることができる。別の好適な態様では、天井モジュールは、一つ以上のＬＥＤ照明ユニットに接続された配線を備え、この配線が天井モジュール内に統合される。別の好適な態様では、一つ以上のバレンスパネルが天井モジュールの全体構造に構造的剛性を与える。
【０００８】
本発明のこれらのおよび他の態様および利点は、以下の詳細な説明と、本発明の特徴を例として図解する添付の図面とから明らかになる。
【図面の簡単な説明】
【０００９】
【図１】本発明による照明、バレンスおよび配線が統合された航空機天井モジュールの模式図である。
【発明を実施するための形態】
【００１０】
例として提供され限定のためではない図１を参照して、本発明は、照明、バレンスおよび配線が統合された航空機天井モジュール１０を提供する。天井モジュールは、天井パネル１２と、天井パネルに直接取り付けられた一つ以上のＬＥＤ照明ユニット１４と、天井パネルに接続され、一つ以上のＬＥＤ照明ユニットと間隔を空けて配置され、一つ以上のＬＥＤ照明ユニットを遮蔽する一つ以上のバレンスパネル１６と、を備える。一つ以上のバレンスパネルは、天井パネルと一体であることが好ましい。代替的に、一つ以上のバレンスパネルを天井パネルに直接または間接的に取り付けることができる。
【００１１】
天井モジュールは、一つ以上のＬＥＤ照明ユニットに接続された電気配線１８を備えることが好ましい。この電気配線は天井パネル内に統合され、一つ以上の電気コネクタ２０に電気的に接続されることが好ましい。一つ以上の電気コネクタは、天井パネル内に統合され、電気的に接続されて航空機から供給される電力を受け取るように構成されることが好ましい。一つ以上のバレンスパネルは、天井モジュールの全体構造に構造的剛性を与える。
【００１２】
本発明の特定の形態について図解し説明してきたが、本発明の精神および範囲から逸脱することなく様々な修正をなし得ることは、上記から明らかだろう。したがって、添付の請求項によるものを除き、本発明を限定することは意図されていない。
【図１】
2013525181.tif 000003
【国際調査報告】
2013525181.tif 000004
2013525181.tif 000005
2013525181.tif 000006